(57)【要約】【課題】芳香の発生を行わない状態にできる、車用の芳香発生装置等として好適に用いられる成分発生装置を提供する。【解決手段】  密閉構造のベース体２を覆うように密閉構造のカバー体３が取り付けられ、内部に成分発生体４が収納され、ベース体２とカバー体３間に成分発生体４からの成分が放出される放出開口５０を備え、放出開口５０が全閉とされることで成分発生体４の放出が行われない成分発生装置。【選択図】図３
2016214696.tif 000002
【特許請求の範囲】
【請求項１】
密閉構造のベース体を覆うように密閉構造のカバー体が取り付けられ、内部に成分発生体が収納され、前記ベース体と前記カバー体間に前記成分発生体からの成分が放出される放出開口を備え、前記放出開口が全閉とされることで前記成分発生体の放出が行われないことを特徴とする成分発生装置。
【発明の詳細な説明】
【技術分野】
【０００１】
この発明は、車用の芳香発生装置等として用いられる成分発生装置に関する。
【背景技術】
【０００２】
車内に芳香を漂わせるように車用の芳香発生装置が提供されている。この芳香発生装置は、例えば、車内前面のエアコンの送風口に取り付けられ、送風とともに芳香を車内に拡散させるようになっている。上記芳香発生装置はケーシングに通風開口を持つことでその部分からも芳香を放出しており、常に芳香が車内に漂うようになっている。
【発明の概要】
【発明が解決しようとする課題】
【０００３】
上記芳香発生装置は車が使用されない場合にも常に芳香が放出されているので、芳香成分が無駄に消費されることとなる。また、同乗者が芳香を好まない場合には、車内空間は狭く窓が閉まっている際には密閉状態となるので、芳香が同乗者にとって苦痛なものとなる。
【０００４】
この発明は上記の事情に鑑みて行ったもので、芳香の発生を行わない状態にできる、車用の芳香発生装置等として好適に用いられる成分発生装置を提供することを目的とする。
【課題を解決するための手段】
【０００５】
この発明では、密閉構造のベース体を覆うように密閉構造のカバー体が取り付けられ、内部に成分発生体が収納され、前記ベース体と前記カバー体間に前記成分発生体からの成分が放出される放出開口を備え、前記放出開口が全閉とされることで前記成分発生体の放出が行われないことを特徴とする成分発生装置を提供する。
【０００６】
上記構成の成分発生装置は、成分の放出開口の全閉状態においては、ベース体、カバー体がともに密閉構造であることで、芳香が全く放出されることがない。
【発明の効果】
【０００７】
この発明によれば、芳香の発生を行わない状態とできる、車用の芳香発生装置等として好適に用いられる成分発生装置が得られる。
【図面の簡単な説明】
【０００８】
【図１】この発明の成分発生装置の外観斜視図
【図２】この発明の成分発生装置の分解斜視図
【図３】この発明の成分発生装置の断面図
【図４】この発明の成分発生装置のベース体の側面図
【図５】この発明の成分発生装置のベース体の平面図
【図６】この発明の成分発生装置の動作説明図
【図７】この発明の成分発生装置のベース体の底面図
【図８】この発明の成分発生装置のカバー体の底面図
【図９】この発明の成分発生装置のカバー体の正面図
【図１０】この発明の成分発生装置のカバー体の背面図
【図１１】この発明の成分発生装置のベース体とカバー体との位置対応図
【図１２】この発明の成分発生装置のベース体とカバー体との位置対応図
【発明を実施するための最良の形態】
【０００９】
図１はこの発明の成分発生装置である芳香発生装置の外観斜視図、図２は同分解斜視図、図３は同断面図である。芳香発生装置１はプラスチック製のベース体２及びカバー体３と成分発生体４とから構成される。
【００１０】
ベース体２は円形で周壁部６を備え、その周壁部６の上縁の一部には切欠き部８が形成され、周壁部６の外面の切欠き部８と逆側位置には、図４に示すように、芳香量の指示部１０が付設されている。ベース体２の底面５上には交差形態の凸壁１２と湾曲形態の凸壁１３とが一体に設けられている。周壁部６の切欠き部８の存在しない上縁の内側には係止縁１４が連続して設けられている。周壁部６の切欠き部は一方の一対の凸壁１２の端部間に相対し、凸壁１３は他方の一対の凸壁１２の端部間に位置している。また、底面５の周壁部６の下部内面に沿う位置には、図５に示すように、１個の係止部１６が設けられるとともに、所定の長さにおいて多数の突起１８が小間隔に配置されている。係止部１６は、図６に示すように、一端部に垂直面１７を持ち、上部を傾斜面１９としている。また、ベース体２の下面には、図７に示すように、車のエアコンの送風穴に係止するクリップの取り付け部１９が設けられている。  
【００１１】
カバー体３は上部のドーム部２１とその下部に連続する周壁部２２とからなる。ドーム部２１の内面中央には、図８に示すように、環状の凸壁２４が一体に設けられ、ドーム部２１の外面の一部には周方向に沿って複数個の芳香量の表示凸部２６が設けられている。周壁部２２の上部位置の一部には、図９に示すように、周方向に沿って開口２７が設けられ、開口２７の下縁には２個の凸部２９が設けられている。周壁部２２の開口２７が存在しない上縁の外側には、図１０に示すように、係止溝３０が連続して設けられている。また、周壁部２２の下縁の上記開口２７と逆側の位置の外面側には凹部３２が連続して設けられ、図６に示すように、その凹部３２の一端部は垂直部３４となり他端部は傾斜部３７となっている。さらに、周壁部２２の下縁の上記開口２７の一端部に対応する位置には、凸部３５が突出して設けられている。
【００１２】
成分発生体４は開口が芳香成分の透過膜４０で覆われたカップ４２内に液状の芳香成分が充填されて構成されている。成分発生体４は透過膜４０を覆うようにアルミシート４４が付設された状態で内部にセットされ、取り出し片５２が２個の凸部２９間に位置決めされる状態で開口２７から突出している。成分発生装置１の使用に際しては、アルミシート４４から折り返し状態で延び出す取り外し片５２が外部に引き出され、それに一体のアルミシート４４が引き剥がされることで芳香が透過膜４０を通して放出される。上記の取り外し片５２の引き出しに際しては、アルミシート４４の力がかかる部分が凸壁１３で支持され、かつ、その引き剥がし方向に凸壁１２が位置していないことでアルミシート４４の引き剥がしが安定して容易に行われる。
【００１３】
次に全体の組み立て構成を説明する。芳香発生装置１は使用時において、内部にアルミシート４４が剥がされた状態の成分発生体４が納められ、ベース体２の周壁部６内にカバー体３の周壁部２２が嵌合され係止溝３０に係止縁１４が係止されて一体となっている。成分発生体４はその透過膜４０側がベース体２の凸壁１２、１３それぞれの上に載置され、鍔部５５がカバー体３の凸壁２４の下端で押さえられて配置されている。
【発明を実施するための形態】
【００１４】
ベース体２の切欠き部８とカバー体３の開口２７とが完全に合致する状態において、図１１に示すように、芳香の放出開口５０が全開形態となる。この放出開口５０の全開状態においては、図６に示すように、ベース体２の係止部１６の垂直面１７にカバー体３の凹部３２の垂直部３４に近接する位置にあり、これ以上カバー体３は矢印Ａ方向に回転されない。
【００１５】
この位置においてはベース体２の指示部１０が一方の端にある最も大きい表示凸部２６に相対する位置にある。これにより、使用者は放出開口５０が全開状態であることが確認できる。図１１において、カバー体２を矢印Ｂ方向に回転することで放出開口５０を徐々に小さくでき、図６に示すように、ベース体２の係止部（点線図示）１６がカバー体の凹部３２の逆側端部の傾斜部３７から少し離れて止まる位置で、放出開口５０は、図１２に示すように、全閉の状態となる。上記回転動作の際には、カバー体２の凸部３５がベース体２の突起１８に接触することで、操作に伴ってクリック感が得られる。
【００１６】
放出開口５０の全閉位置においては、ベース体２の指示部１０が他方の端にある最も小さい表示凸部２６を示す位置にある。これにより、使用者は放出開口５０が全閉状態であることが確認できる。この全閉状態においては、ベース体２、カバー体３がともに密閉構造であることで、成分発生装置１から芳香が全く放出されることがない。
【００１７】
図１２で示す状態において、さらに力を加えてカバー体３を矢印Ｃ方向に回転させていくと、凹部３２の傾斜部３７が係止部１６の傾斜面１９に沿って乗り上げる状態となり、これにより、係止溝３０への係止縁１４の係止が離脱することでベース体２からカバー体３が取り外され、これにより、成分発生体４の取り換え装着が行われる。
【符号の説明】
【００１８】
１  成分発生装置
２  ベース体
３  カバー体
４  成分発生体
５０  放出開口
【図１】
2016214696.tif 000003
【図２】
2016214696.tif 000004
【図３】
2016214696.tif 000005
【図４】
2016214696.tif 000006
【図５】
2016214696.tif 000007
【図６】
2016214696.tif 000008
【図７】
2016214696.tif 000009
【図８】
2016214696.tif 000010
【図９】
2016214696.tif 000011
【図１０】
2016214696.tif 000012
【図１１】
2016214696.tif 000013
【図１２】
2016214696.tif 000014